(57)【要約】【課題】体液の吸収体への吸収速度を上昇させ、体液がトップシートに保水することなく、また短時間でさらっと感が得られる吸収性物品を提供することである。【解決手段】下層にセカンドシートを有する透液性のトップシートと、上層に防水フィルムを有する不透液性のバックシートと、前記トップシートと前記バックシート間に介在する吸収体とにより本体が形成された吸収性物品において、前記トップシートと前記セカンドシートとを接着剤で張り合わせた後、前記トップシート側からエンボス加工を施すことにより前記トップシートと前記セカンドシートとを密着させる。【選択図】図２
2004248965.tif 000002
【特許請求の範囲】
【請求項１】
下層にセカンドシートを有する透液性のトップシートと、上層に防水フィルムを有する不透液性のバックシートと、前記トップシートと前記バックシート間に介在する吸収体とにより本体が形成された吸収性物品において、前記トップシートと前記セカンドシートとを接着剤で張り合わせた後、前記トップシート側からエンボス加工を施すことにより前記トップシートと前記セカンドシートとを密着させて成ることを特徴とする吸収性物品。
【発明の詳細な説明】
【０００１】
【発明の属する技術分野】
本発明は、使い捨て紙おむつ、あるいは生理用ナプキン等の吸収性物品に関し、さらに詳細には、吸収性の面で優れた吸収性物品に関する。
【０００２】
【従来の技術】
従来の吸収性物品、例えば図３に斜視図で示すような使い捨て紙おむつ１００は、通常、透液性を有するトップシート１０１と、不透液性を有するバックシート１０２と、前記シート間に介在する吸収体１０３とにより本体１０４が形成されている。
【０００３】
なお、この紙おむつ１００においては、前身頃Ｆの腹部位置にフロントターゲットテープ１０５が、後身頃Ｂの腰部位置両端に止着用のファスニングテープ１０６がそれぞれ付設されている。さらに、トップシート１０１の内面両側の脚回り部には漏れ防止用のギャザー１０７が設けられており、そして本体１０４の長手方向中央部には略楕円形状の便溜部１０８が形成されている。
【０００４】
図４は図３のＸ−Ｘ断面図で、この紙おむつ１００のさらに詳細な層構成を示したものである。表面側、すなわち着用者の身体と接する側より順に不織布等から成る透液性のトップシート１０１、同様の素材から成るセカンドシート１０９、ティッシュ１１０等で全体が被覆された吸収体１０３、ポリエチレン等から成る防水フィルム１１１、不織布等から成る不透液性のバックシート１０２となっている。
【０００５】
なお、紙おむつの種類によっては、この他種々の層構成のものが提案され、実用化されているが、この基本構成には大差がないものである。
【０００６】
図５は紙おむつ１００の要部である便溜部１０８の拡大平面展開図、図６は図５のＹ−Ｙ断面図である。図において、便溜部１０８は、トップシート１０１側からエンボス１１２の加工が施されている。通常、エンボス１１２の加工は、トップシート１０１とセカンドシート１０９とをホットメルト接着剤等の接着剤１１３で張り合わせた後、トップシート１０１の上面側から肌面接部の全域に渡って施されている。このように構成された従来の紙おむつ１００によれば、図６に矢印で示すように排泄された尿等の体液は、このエンボス部分１１２を介して下層のセカンドシート１０９に引き込まれ、さらにティッシュ１１０を介して吸収体１０３に吸収される（例えば、特許文献１参照。）。
【０００７】
【特許文献１】特開２００１−２７６１２６号公報（第５頁第３４行〜第６頁第１０行、図１、図２）
【０００８】
【発明が解決しようとする課題】
ところが、上記従来の吸収性物品、すなわち紙おむつ１００では、図６に示されるように、トップシート１０１とセカンドシート１０９とを接着剤１１３で接着し、エンボス１１２の加工を施した時、接着剤１１３が着いていない部分に空隙部１１４ができるため、この空隙部１１４に体液が溜まってしまうという問題があった。このように空隙部１１４に体液が溜まると、セカンドシート１０９を介して体液が吸収体１０３に吸収される速度が遅くなって、吸収体１０３に吸収されにくく、この間に空隙部１１４内に溜まった体液がトップシート１０１方向に逆戻り（ｗｅｔ  ｂａｃｋ）して、トップシート１０１が保水するようになる。このため、着用者に不快感を与え、特に乳幼児の場合には皮膚がかぶれる原因ともなっていた。
【０００９】
本発明は上述したような実情に鑑みて成されたもので、本発明の目的とするところは、従来技術の有する上記問題点を解消し、体液の吸収体への吸収速度を上昇させ、体液がトップシートに保水することなく、また短時間でさらっと感が得られる吸収性物品を提供することである。なお、本発明でいう、「さらっと感」とは、体液の吸収速度が速く、シートの濡れた部分が保水することなく、さらっとした肌触りになることを意味する。
【００１０】
【課題を解決するための手段】
本発明の上記目的は、下層にセカンドシートを有する透液性のトップシートと、上層に防水フィルムを有する不透液性のバックシートと、前記トップシートと前記バックシート間に介在する吸収体とにより本体が形成された吸収性物品において、前記トップシートと前記セカンドシートとを接着剤で張り合わせた後、前記トップシート側からエンボス加工を施し、前記両シートを密着させて成る吸収性物品を提供することにより達成される。
【００１１】
【発明の実施の形態】
以下、図面を参照しながら、本発明の実施形態を説明する。
図１は、本発明の実施例に係る吸収性物品の一例である使い捨て紙おむつ２００（図示せず）の要部である便溜部２０８の拡大平面展開図であり、図２は図１のＺ−Ｚ断面図を示す。なお、本紙おむつ２００は、便溜部２０８を除くその他の構成については、前述した従来の紙おむつ１００と実質的に同一である。このため、以下、前記従来の紙おむつ１００と対応する構成要素について２００番台の対応する同一番号を付して説明する。
【００１２】
すなわち、本発明に係る紙おむつ２００は、前記従来の紙おむつ１００と同様に、下層にセカンドシート２０９を有するトップシート２０１と、上層に防水フィルムを有するバックシート（図示せず）と、前記トップシート２０１と前記バックシートの間に介在するティッシュ２１０等で被覆された吸収体２０３とにより本体が形成されたものである。
【００１３】
ここに、トップシート２０１には、体液を吸収体へ透過させる透液性のシートであって、肌着に近い感触を有し、きめが細かく繊維密度が高い素材が好ましく用いられる。このような透液性シートとして、例えば、織布，不織布，多孔性フィルム等が用いられる。
【００１４】
また、セカンドシート２０９には、トップシート２０１よりも体液の吸収速度が速く、またトップシート２０１よりも繊維密度が小さい不織布、例えばポリプロピレン，ポリエチレン，ポリエチレンテレフタレート，ポリアミド，ナイロン，レーヨン，ビニロン，アクリル等から成る不織布が用いられる。
【００１５】
トップシート２０１とセカンドシート２０９は、前記紙おむつ１００と同様に、ホットメルト接着剤等の接着剤２１３で張り合わされている。本紙おむつ２００では、このようにして張り合わされたトップシート２０１の上面側からエンボス２１２の加工が施される。この時、トップシート２０１，セカンドシート２０９，接着剤２１３との間に空隙部２１４が形成される。
【００１６】
このエンボス２１２は、図２に示すように、トップシート２０１とセカンドシート２０９とが互いに接し合う程度まで押圧されて加工される。
【００１７】
このようにエンボス２１２を施すことにより、トップシート２０１とセカンドシート２０９とが互いに密着し、この間に形成される空隙部２１４の容積が縮小されると同時に、エンボス２１２の底部、すなわちトップシート２０１の湾曲突部とセカンドシート２０９との距離が短縮される。このため、エンボス２１２部に引き込められた体液は、図２に矢印で示すように、セカンドシート２０９及びティッシュ２１０を介して吸収体２０３へ直ちに吸収される。このため、従来の吸収性物品に見られるような体液のトップシート２０１への逆戻り現象がなくなり、着用者に常にさらっと感を与えることができる。
【００１８】
なお、トップシート２０１の上面側から加工が施されるエンボス２１２の形状，深さ及びピッチ等の数値は実験により最適な値、すなわち最もさらっと感を与えることができる値が選定される。本実施例では、図１及び図２に示すように、このエンボス２１２の平面形状は円に形成され、その数値として直径ｄが１〜５ｍｍ、好ましくは約３ｍｍに、深さｔが１〜５ｍｍ、好ましくは約３ｍｍに、ピッチｐが１〜６ｍｍ、好ましくは約４ｍｍに夫々設定されている。また、エンボス２１２の断面形状は略三角形に形成され、その頂角αが約６０°に設定されている。このようにエンボス２１２を形成すると、上述したように体液の吸収性がよくなると共に、トップシート２０１とセカンドシート２０９との係合力が増し、また、紙おむつ２００の平面からの見栄えが良くなる。
【００１９】
なお、上記実施形態では、トップシート２０１とセカンドシート２０９間に紙シートがない紙おむつについて説明したが、上述したようなエンボス加工を施せば、前記シート間に紙シートがあっても差し支えない。
【００２０】
以上、本発明の内容を吸収性物品がテープ式の使い捨て紙おむつを例に説明したが、本発明はこのような紙おむつに限らず、この他パンツ型の紙おむつ、生理用ナプキンや尿取りパッド、あるいは失禁者用パンツ等の公知の吸収性物品についても適用できることはいうまでもない。
【００２１】
【発明の効果】
以上に詳述したように、本発明に係る吸収性物品によると、従来の吸収性物品に比べ、トップシートとセカンドシート間の空隙部の容積が縮小されるので、空隙部に体液が溜まることが少なくなる。また、エンボスの底部とセカンドシートが接し合うため、エンボス部に引き込まれた体液が直ちにセカンドシートを通過し、吸収体に吸収される。このため、本発明によれば、体液がトップシートに逆戻りすることがなくなり、トップシートに保水しなくなる。このため、着用者に常にさらっと感を与え、また、乳幼児等に皮膚のかぶれを与えることがなくなるという効果がある。
【図面の簡単な説明】
【図１】本発明の実施例に係る使い捨て紙おむつの要部である便溜部の拡大平面展開図である。
【図２】図１のＺ−Ｚ断面図である。
【図３】従来の使い捨て紙おむつの使用状態時における斜視図である。
【図４】図３のＸ−Ｘ断面図である。
【図５】図３に示す紙おむつの要部である便溜部の拡大平面展開図である。
【図６】図５のＹ−Ｙ断面図である。
【符号の説明】
１００，２００    紙おむつ
１０１，２０１    トップシート
１０２            バックシート
１０３，２０３    吸収体
１０９，２０９    セカンドシート
１１１            防水フィルム
１１２，２１２    エンボス部
１１３，２１３    接着剤
１１４，２１４    空隙部
【図１】
2004248965.tif 000003
【図２】
2004248965.tif 000004
【図３】
2004248965.tif 000005
【図４】
2004248965.tif 000006
【図５】
2004248965.tif 000007
【図６】
2004248965.tif 000008